(57)【要約】【課題】暖房運転の際に、人に対して冷風感を与えるのを防止する空気温調機のファン制御方法及び空気温調機を提供する。【解決手段】空気を加熱する熱交換器１１と、熱交換器１１の温度を計測する温度センサ１２と、熱交換器１１によって加熱された空気を室内を含む複数の場所にそれぞれ個別に供給する吹出ダクト１３、１４、１５に対応して設けられたファン１６、１７、１８と、温度センサ１２を介した熱交換器１１の温度の検知及びファン１６、１７、１８の回転制御を行う制御装置１９とを備え、制御装置１９は、熱交換器１１の温度が所定値未満の場合に用いる、熱交換器１１の温度に応じてファン１６、１７、１８の回転数を定めた回転速度テーブルをファン１６、１７、１８毎に備える。【選択図】図１
2011058734.tif 000002
【特許請求の範囲】
【請求項１】
熱交換器によって加熱された空気を、室内を含む複数の場所にそれぞれファン及びこれに接続される吹出ダクトを経由して供給し、暖房を行う空気温調機のファン制御方法であって、
前記熱交換器の温度が所定値未満の場合、前記複数の場所に温風を供給する前記ファンのそれぞれの回転数を、予め前記熱交換器の温度に応じて前記ファン毎に個別に決めた回転速度テーブルに基づいて決定することを特徴とする空気温調機のファン制御方法。
【請求項２】
請求項１記載の空気温調機のファン制御方法において、前記ファン毎に個別に決めた回転速度テーブルは、該空気温調機の暖房停止時間に応じて、前記ファンの回転数が異なる高速用テーブルＡと低速用テーブルＢとを有し、該空気温調機の暖房停止時間が予め設定された所定時間Ｔ以下の場合には前記高速用テーブルＡを用い、該空気温調機の暖房停止時間が該所定時間Ｔを超える場合には前記低速用テーブルＢを用いることを特徴とする空気温調機のファン制御方法。
【請求項３】
空気を加熱する熱交換器と、該熱交換器の温度を計測する温度センサと、該熱交換器によって加熱された空気を室内を含む複数の場所にそれぞれ個別に供給する吹出ダクトに対応して設けられたファンと、前記温度センサを介した前記熱交換器の温度の検知及び該ファンの回転制御を行う制御装置とを備え、
前記制御装置は、前記熱交換器の温度が所定値未満の場合に用いる、前記熱交換器の温度に応じて前記ファンの回転数を定めた回転速度テーブルを前記各ファン毎に備えることを特徴とする空気温調機。
【請求項４】
請求項３記載の空気温調機において、前記ファン毎に個別に決めた回転速度テーブルは、該空気温調機の暖房停止時間に応じて、前記ファンの回転数が異なる高速用テーブルＡと低速用テーブルＢとを有し、該空気温調機の暖房停止時間が予め設定された所定時間Ｔ以下の場合には前記高速用テーブルＡを用い、該空気温調機の暖房停止時間が該所定時間Ｔを超える場合には前記低速用テーブルＢを用いることを特徴とする空気温調機。
【発明の詳細な説明】
【技術分野】
【０００１】
本発明は、熱交換器により加熱された空気を、室内を含む複数の場所に、それぞれファン及び吸引ダクトを経由して供給する空気温調機のファン制御方法及び空気温調機に関する。
【背景技術】
【０００２】
熱交換器により空気を加熱して直接吹出口より室内に供給する空気温調機では、熱交換器が十分に暖まっていない状態でファンを回転すると、室内に居る人に冷風感を与える低温の空気を室内に供給することになる。そこで、この空気温調機では、ファンの回転数を落とし、あるいは、ファンを一時的に停止し、熱交換器から多くの熱を奪わないようにして、早期に熱交換器が暖まるようにする熱交換器の昇温制御を行い、熱交換器が十分に暖まった後に、通常の暖房運転を開始していた（例えば、特許文献１参照）。
【０００３】
しかし、この技術においては、空気温調機を部屋の中に設置する必要があり、複数の部屋の暖房を行うことはできないという問題がある。そこで、暖房を行う室内ごとに空気温調機を設置する代わりに、特許文献２に記載するように、一台で、複数の室内を暖房する空気温調機が提案されている。この空気温調機には、加熱された空気を送るファンに複数の吹出ダクトが接続され、暖房する各室内に吹出ダクトの空気の出側が配置されており、吹出ダクトを経由して暖かい空気が室内に供給される。なお、空気温調機は、室内に加え、床下を暖房することもできる。
【先行技術文献】
【特許文献】
【０００４】
【特許文献１】特開第２０００−２３４７８８号公報
【特許文献２】特許第３７４４６８４号公報
【発明の概要】
【発明が解決しようとする課題】
【０００５】
しかしながら、引用文献２に記載の技術においては、吹出ダクトが長くなるにつれ静圧が大きくなり、ダクトを進む空気の速度は下がるので、吹出ダクトの長さが異なる場合には、各吹出ダクトに同じ初速度で空気を送り込むと、吹出ダクトから室内に出る時点での空気の速度は、吹出ダクトごとに異なることになる。なお、一般的に、人が冷風を当てられ感じる冷風感は、冷風の温度と速度に関係し、同じ温度であっても、速度が速いほど、人に与える冷風感は増すことになる。
本発明は、かかる事情に鑑みてなされるもので、暖房運転の際に、人に対して冷風感を与えるのを防止する空気温調機のファン制御方法及び空気温調機を提供することを目的とする。
【課題を解決するための手段】
【０００６】
前記目的に沿う本発明に係る空気温調機のファン制御方法は、熱交換器によって加熱された空気を、室内を含む複数の場所にそれぞれファン及びこれに接続される吹出ダクトを経由して供給し、暖房を行う空気温調機のファン制御方法であって、前記熱交換器の温度が所定値未満の場合、前記複数の場所に温風を供給する前記ファンのそれぞれの回転数を、予め前記熱交換器の温度に応じて前記ファン毎に個別に決めた回転速度テーブルに基づいて決定する。
【０００７】
本発明に係る空気温調機のファン制御方法において、前記ファン毎に個別に決めた回転速度テーブルは、該空気温調機の暖房停止時間に応じて、前記ファンの回転数が異なる高速用テーブルＡと低速用テーブルＢとを有し、該空気温調機の暖房停止時間（暖房運転の停止時間）が予め設定された所定時間Ｔ以下の場合には前記高速用テーブルＡを用い、該空気温調機の暖房停止時間が該所定時間Ｔを超える場合には前記低速用テーブルＢを用いるのが好ましい。
【０００８】
前記目的に沿う本発明に係る空気温調機は、空気を加熱する熱交換器と、該熱交換器の温度を計測する温度センサと、該熱交換器によって加熱された空気を室内を含む複数の場所にそれぞれ個別に供給する吹出ダクトに対応して設けられたファンと、前記温度センサを介した前記熱交換器の温度の検知及び該ファンの回転制御を行う制御装置とを備え、
前記制御装置は、前記熱交換器の温度が所定値未満の場合に用いる、前記熱交換器の温度に応じて前記ファンの回転数を定めた回転速度テーブルを前記各ファン毎に備える。
【０００９】
本発明に係る空気温調機において、前記ファン毎に個別に決めた回転速度テーブルは、該空気温調機の暖房停止時間に応じて、前記ファンの回転数が異なる高速用テーブルＡと低速用テーブルＢとを有し、該空気温調機の暖房停止時間が予め設定された所定時間Ｔ以下の場合には前記高速用テーブルＡを用い、該空気温調機の暖房停止時間が該所定時間Ｔを超える場合には前記低速用テーブルＢを用いるのが好ましい。
【発明の効果】
【００１０】
請求項１及び２記載の空気温調機のファン制御方法は、熱交換器の温度が所定値未満の場合、ファンのそれぞれの回転数を、個別に決めた回転速度テーブルに基づいて決定するので、吹出ダクトごとに静圧が異なっても、吹出ダクトから吹出される空気の速度を個別に定めることができ、人に冷風感を与えない速度に調整することができる。
【００１１】
請求項２記載の空気温調機のファン制御方法は、空気温調機の暖房停止時間が予め設定された所定時間Ｔ以下の場合には高速用テーブルＡを用い、空気温調機の暖房停止時間が所定時間Ｔを超える場合には低速用テーブルＢを用いるので、空気温調機の暖房停止時間が長く、吹出ダクトが冷えきった状態のときには、吹出ダクトが冷えていない状態のときに比べて、吹出ダクトから出される空気を低速度にして、人に冷風感を与えない速度に調整可能である。
【００１２】
請求項３及び４記載の空気温調機は、制御装置が、熱交換器の温度が所定値未満の場合に用いる、熱交換器の温度に応じてファンの回転数を定めた回転速度テーブルを各ファン毎に備えるので、吹出ダクトごとに静圧が異なっても、吹出ダクトから吹出される空気の速度を個別に決定することができ、人に冷風感を与えない速度に調整することができる。
【００１３】
請求項４記載の空気温調機は、空気温調機の暖房停止時間が予め設定された所定時間Ｔ以下の場合には高速用テーブルＡを用い、空気温調機の暖房停止時間が所定時間Ｔを超える場合には低速用テーブルＢを用いるので、空気温調機の暖房停止時間が長く、吹出ダクトが冷えきった状態のときには、吹出ダクトが冷えていない状態のときに比べて、吹出ダクトから出される空気を低速度にして、人に冷風感を与えない速度に調整可能である。
【図面の簡単な説明】
【００１４】
【図１】本発明の一実施の形態に係る空気温調機の平断面図である。
【図２】同空気温調機を用いる空気温調システムの概略説明図である。
【発明を実施するための形態】
【００１５】
続いて、添付した図面を参照しつつ、本発明を具体化した実施の形態につき説明し、本発明の理解に供する。
図１、図２に示すように、本発明の一実施の形態に係る空気温調機１０は、空気を加熱する熱交換器１１と、熱交換器１１の温度を計測する温度センサ１２と、熱交換器１１によって加熱された空気を複数の場所、即ち複数（ここでは２）の室内及び床下にそれぞれ個別に供給する吹出ダクト１３、１４、１５に対応して設けられたシロッコファン（ファンの一例）１６、１７、１８と、温度センサ１２を介した熱交換器１１の表面温度の検知及びシロッコファン１６、１７、１８の回転制御を行う制御装置１９とを備え、各室内の暖房、冷房、及び除湿と床下暖房とをする装置である。以下、これらについて詳細に説明する。
【００１６】
熱交換器１１、温度センサ１２、及びシロッコファン１６、１７、１８は鉄、アルミ等からなる箱状の筐体２０内に配置され、熱交換器１１の下側には、空気温調機１０による室内の冷房及び除湿の最中に熱交換器１１の表面に生じる水滴を受けるドレーン受け２１が設けられている。なお、筐体２０は、外側が図示しない断熱材で覆われているので、筐体２０に内在する空気が、外気によって大きな温度変化を受けるのを防止している。
【００１７】
また、筐体２０には、ドレーン受け２１に溜まった水を筐体２０の外に排出するドレーン管２２と、ドレーン受け２１に溜まった水の水位を計測する水位センサ２３とが取り付けられており、制御装置１９は、水位センサ２３を介して、ドレーン管２２の詰まり等により、ドレーン受け２１に一定高さ以上の水が溜まったことを検知したとき、水漏れ防止のために空気温調機１０の運転を停止（具体的には、シロッコファン１６、１７、１８の回転の停止等）を行う。
【００１８】
吹出ダクト１３、１４、１５は、内側に空気が流出する開口部を備えた円環状の吹出部材２５、２６、２７を介して筐体２０にそれぞれ連結されている。
吹出ダクト１３、１４の空気の出側は、異なる室内、例えば、２階の寝室（以下、単に「寝室」ともいう）と１階のリビング（以下、単に「リビング」ともいう）にそれぞれ配置され、シロッコファン１６、１７の回転により、熱交換器１１で熱交換された空気を、寝室及びリビングにそれぞれ供給し、室内暖房、室内冷房、及び室内除湿を行う。
【００１９】
一端部が吹出部材２７を介して筐体２０に連結された吹出ダクト１５の他端部には、床下の異なる方向に空気を放出する吹出チャンバ２８が取り付けられており、熱交換器１１によって加熱された空気は、シロッコファン１８の回転により吹出部材２７及び吹出ダクト１５を経由して吹出チャンバ２８から床下に供給され、床下暖房がなされる。
なお、吹出部材２５、２６、２７には、吹出部材２５、２６、２７にそれぞれ接続されているシロッコファン１６、１７、１８の回転により生じる送風圧によって、吹出部材２５、２６、２７の開口部をそれぞれ開き、シロッコファン１６、１７、１８の停止時に各開口部をそれぞれ閉じる図示しない開閉板を取り付け可能であり、吹出部材２５、２６、２７の開口部を介して筐体２０の外側から内側に空気が流入するのを防止することができる。
【００２０】
また、筐体２０には、内側に空気が流入する開口部を備えた円環状の吸込部材２９、３０、３１、３２が設けられ、筐体２０への空気の流入経路である吸込ダクト３３、３４、３５、３６が、吸込部材２９、３０、３１、３２を介して筐体２０にそれぞれ連結されている。そして、シロッコファン１６、１７、１８の回転により、筐体２０内には、吸込ダクト３３、３４、３５、３６及び吸込部材２９、３０、３１、３２を介して空気が取り込まれる。
筐体２０の下部四隅には、筐体２０を設置面から所定高さ（例えば１０〜５０ｍｍの高さ）に保持する高さ調整部材３７が装着されており、筐体２０の高さを調整可能である。
また、制御装置１９は、制御装置１９へのほこり等の付着を防止する収納部蓋３８によって覆われ、筐体２０の側壁部に固定されている。
【００２１】
図２に示すように、シロッコファン１６、１７、１８、温度センサ１２、及び水位センサ２３は、制御装置１９に接続されており、制御装置１９には、シロッコファン１６、１７、１８の回転制御、具体的には回転速度（回転数）の変更や、回転の開始及び停止を行うプログラムが格納された、例えば、マイクロコンピュータが搭載されている。
また、この制御装置１９に搭載されたマイクロコンピュータには、水位センサ２３を介してドレーン受け２１に一定高さ以上の水が溜まったのを検知したときシロッコファン１６、１７、１８の回転等を停止し水漏れを防止するプログラムも格納されている。
【００２２】
制御装置１９には、液状の冷媒をガス化し、あるいは、ガス状の冷媒を液化して、熱交換器１１に送る室外機３９が信号接続されており、室外機３９は、制御装置１９から送信される信号に従って、冷媒をガス化、又は液化して、熱交換器１１へ送り出す。
室外機３９は、冷媒ガス配管４０及び冷媒液配管４１によって熱交換器１１に接続され、
室内及び床下を暖房する際、室外機３９によって高温高圧のガスにされた冷媒は、冷媒ガス配管４０を通って熱交換器１１に送られ、熱交換器１１で冷却され液化された後に冷媒液配管４１を通って室外機３９に戻る。そして、この熱交換器１１での冷媒の液化により生じる凝縮熱で空気を加熱して室内及び床下に送り室内の暖房をすることができる。
また、室内の冷房及び除湿の際には液状の冷媒が、冷媒液配管４１を介して室外機３９から熱交換器１１に送られ、熱交換器１１で加熱されガス状にされた後に、冷媒ガス配管４０を介して室外機３９に戻る。そして、この熱交換器１１で冷媒がガス状になる際に生じる蒸発熱で室内の冷房及び除湿を行う。
【００２３】
制御装置１９には、暖房、冷房の温度設定等が行われる操作盤４２が、信号接続され、操作盤４２を介し、制御装置１９と無線による信号の送受信を行うリモコン４３が、操作盤４２に無線接続されている。リモコン４３では、暖房、冷房の設定温度の入力等を行うことができ、リモコン４３でなされた入力は、例えば赤外線通信により操作盤４２に設けられた赤外線通信部に送信され、制御装置１９に伝達される。
そして、空気温調機１０、室外機３９、操作盤４２、及びリモコン４３を有して空気温調システム４４が構成されている。
【００２４】
制御装置１９は、熱交換器１１の表面温度が所定値（例えば３５℃）未満の場合に、通常の室内暖房及び床下暖房のときよりシロッコファン１６、１７、１８の回転数を下げて、シロッコファン１６、１７、１８の回転制御をする。
即ち、制御装置１９は、熱交換器１１の表面温度が３５℃未満の場合の、熱交換器１１の表面温度に応じてシロッコファン１６、１７、１８の回転数を定めた（例えば、表面温度が低い程、回転数を下げた）回転速度テーブルをシロッコファン１６、１７、１８毎に備えており、温度センサ１２を介して熱交換器１１の表面が３５℃未満であるのを検知したとき、各回転速度テーブルに従って、シロッコファン１６、１７、１８を回転制御する。
【００２５】
更に、制御装置１９は、操作盤４２又はリモコン４３で室内暖房又は床下暖房を終了する入力が行われてから、次に室内暖房又は床下暖房を開始する入力が行われるまでの時間を計測して、室内暖房又は床下暖房を停止していた時間（空気温調機１０の暖房停止時間）を検知し、その暖房停止時間に応じて、しかも、熱交換器１１の表面が３５℃未満の表面温度に応じたシロッコファン１６、１７、１８の回転数を決定可能である。
【００２６】
即ち、シロッコファン１６、１７、１８にそれぞれ設定される（備えられる）回転速度テーブルを、室内暖房又は床下暖房を停止していた時間に応じて、シロッコファン１６、１７、１８の回転数が異なる高速用テーブルＡと低速用テーブルＢによって構成する。具体的には、高速用テーブルＡ及び低速用テーブルＢにそれぞれ、熱交換器１１の表面温度に対応し、温度が高くなるにつれ、大きい値のファン回転数が定められ、低速用テーブルＢは、高速用テーブルＡより小さい値のファン回転数が定められている。
【００２７】
そして、熱交換器１１の表面が３５℃未満のとき、制御装置１９は、室内暖房又は床下暖房を停止していた時間が予め設定された所定時間Ｔ（例えば３時間）以下の場合にはシロッコファン１６、１７、１８にそれぞれ設けられた高速用テーブルＡを用いて、シロッコファン１６、１７、１８の回転数を決定し、所定時間Ｔを超える場合にはシロッコファン１６、１７、１８にそれぞれ設けられた低速用テーブルＢを用いて、シロッコファン１６、１７、１８の回転数を決定する。
この高速用テーブルＡ及び低速用テーブルＢを用いた制御により、シロッコファン１６、１７、１８は、室内暖房又は床下暖房を停止していた時間が長く、吹出ダクト１３、１４、１５が冷えきった状態のときと、冷えきっていない状態のときとで、回転数を変えた回転が可能となる。
【００２８】
なお、制御装置１９は、操作盤４２及びリモコン４３からの入力により、シロッコファン１６、１７、１８に高速用テーブルＡ及び低速用テーブルＢを設定することができる。
また、制御装置１９に搭載されたマイクロコンピュータには、熱交換器１１の表面温度が３５℃未満のときに、シロッコファン１６、１７、１８をそれぞれに設定された高速用テーブルＡ及び低速用テーブルＢに従って回転制御するためのプログラムが格納されている。
【００２９】
本実施の形態では、シロッコファン１６、１７、１８に同容量のシロッコファンを用いており、更に、吹出ダクト１３、１４、１５は全て断面積が同じ大きさに形成されている。
従って、シロッコファン１６、１７、１８を同じ回転数で回転させた場合、寝室、リビング、及び床下で、吹出ダクト１３、１４、１５から吹出される空気の速さは、主に吹出ダクト１３、１４、１５の長さによって決まる。
【００３０】
具体的には、吹出ダクト１３、１４、１５が長くなるにつれ、吹出ダクト１３、１４、１５を通過する空気の減速率は大きくなる。例えば、２階の寝室に空気を供給する吹出ダクト１３が、１階のリビングに空気を供給する吹出ダクト１４よりも長い場合、吹出部材２５、２６を介して、吹出ダクト１３、１４それぞれに同じ初速度の空気を送り込むと、吹出ダクト１３から寝室に吹出される空気は、吹出ダクト１４からリビングに吹出される空気よりも、速度が遅くなる。
【００３１】
そこで、制御装置１９は、吹出ダクト１３、１４の長さに応じて、シロッコファン１６、１７それぞれに、異なる回転数の高速用テーブルＡ及び低速用テーブルＢを備え、熱交換器１１の表面温度が３５℃未満のとき、吹出ダクト１３、１４、１５から吹出される空気（温風）の速度値が近接するように調整している。
この吹出し速度の調整によって、寝室及びリビングに供給される空気の温度が十分に暖まっていない状態で、寝室及びリビングの一方に、人に冷風感を与える強風が供給されることを回避している。
【００３２】
なお、床下暖房のために吹出ダクト１５を通って供給される空気は、直接人体に当たらず人に対して冷風感を与えないが、床下暖房のための通常運転に比べ、回転数を下げてシロッコファン１８を回転することにより、熱交換器１１から奪う熱を制限して、早期に熱交換器１１の表面温度が３５℃以上になるように、シロッコファン１８にも高速用テーブルＡ及び低速用テーブルＢを設定することができる。
【００３３】
例えば、高速用テーブルＡとして、熱交換器１１の表面温度が、１５℃以上２０℃未満、２０℃以上２５℃未満、２５℃以上３０℃未満、及び３０℃以上３５℃未満の場合に対する一分あたりのファン回転数をそれぞれ、５００回転、１０００回転、１５００回転、及び２０００回転と定めたものを第１の高速用テーブルＡとし、３５０回転、７００回転、１０５０回転、及び１４００回転と定めたものを第２の高速用テーブルＡとし、２００回転、４００回転、６００回転、及び８００回転と定めたものを第３の高速用テーブルＡとして、シロッコファン１６、１７、１８それぞれに、第１、第２、第３の高速用テーブルＡを設定した。
【００３４】
また、低速用テーブルとして、第１、第２、第３の高速用テーブルＡにそれぞれ対応する第１、第２、第３の低速用テーブルＢをシロッコファン１６、１７、１８それぞれに、第１、第２、第３の低速用テーブルＢに設定した。
なお、第１、第２、第３の低速用テーブルＢはそれぞれ、第１、第２、第３の高速用テーブルＡの例えば５０％の回転数を定めたものにすることができる。
【００３５】
この設定により、最も長い吹出ダクト１３に接続するシロッコファン１６には、最も大きい値のファン回転数が適用され、吹出ダクト１３より短い吹出ダクト１４に接続するシロッコファン１７には、シロッコファン１６と比較して、小さい値のファン回転数が適用される。
従って、熱交換器１１の表面温度が、３５℃未満のとき、吹出ダクト１３には、吹出部材２６を介して吹出ダクト１４に流入する空気よりも速い速度で、吹出部材２５を介して、空気が流入するので、吹出ダクト１３から寝室に吹出される空気の速度を、吹出ダクト１４からリビングに吹出される空気の速度に近接した値に調整することが可能である。
なお、床下暖房のためのシロッコファン１８には、最も低速のファン回転速度を定めた第３の高速用テーブルＡを設定したが、必ずしも、最低速度のものを設定する必要はない。
【００３６】
ここで、高速用テーブルＡ及び低速用テーブルＢに定義されるファンの回転数は、熱交換器の表面の異なる温度ごとに、回転数を変えてシロッコファンを回転させ、吹出部材を介して筐体に連結された長さの異なる吹出ダクトから吹出される空気を、複数の人に当てて、冷風感を感じるか否かを実験すること等により導出することができる。
そして、空気温調システム４４を設置する際に、吹出部材２５、２６、２７を介して筐体２０に連結される吹出ダクト１３、１４、１５の長さが決まるので、各吹出ダクト１３、１４、１５の長さに応じてシロッコファン１６、１７、１８に用いる高速用テーブルＡ及び低速用テーブルＢをそれぞれ決定することができる。
また、高速用テーブルＡに対する低速用テーブルＢのファン回転数の低速率については、吹出ダクトを暖房運転により暖めたとき（例えば２０℃）と、冬の気温として想定される温度で吹出ダクトを冷やしたとき（例えば１０℃）とにより、人に与える冷風感の差異を実験すること等により決定することができる。
【００３７】
次に、本発明の一実施の形態に係る空気温調機のファン制御方法について説明する。
制御装置１９は、室内暖房又は床下暖房を開始するとき、シロッコファン１６、１７、１８のそれぞれについて、室内暖房又は床下暖房のために運転（回転）を停止していた時間を検知する。そして、熱交換器１１の表面温度が３５℃未満のとき、暖房停止時間が３時間以下の場合にはそれぞれ第１、第２、第３の高速用テーブルＡを用い、３時間を超える場合にはそれぞれ第１、第２、第３の低速用テーブルＢを用いて、シロッコファン１６、１７、１８の回転数をそれぞれ決定する。
例えば、シロッコファン１６による寝室の暖房の停止から２４時間が経過し、シロッコファン１７、１８によるリビング、床下の暖房の停止から１時間が経過しているとき、制御装置１９は、シロッコファン１６に第１の低速用テーブルＢを用い、シロッコファン１７、１８にそれぞれ第２、第３の高速用テーブルＡを用いて暖房を開始する。
【００３８】
次に、制御装置１９は、熱交換器１１の温度が上昇し、熱交換器１１の温度が３５℃以上であるのを検知したとき、シロッコファン１６、１７、１８の回転数を室内暖房、床下暖房のための通常の回転数に切り換える。
また、制御装置１９は、通常の回転数による室内暖房、床下暖房の最中に、熱交換器１１の温度が３５℃未満であるのを検知した場合、シロッコファン１６、１７、１８を、第１、第２、第３の高速用テーブルＡに従って、対応する温度範囲の回転数でそれぞれ回転させる。
【００３９】
なお、本実施の形態では、シロッコファン１６、１７、１８の停止時間をそれぞれ検知して、暖房停止時間を個別に計測しているが、シロッコファン１６、１７、１８による室内暖房及び床下暖房が全て同時に行われることが前提等の場合には、シロッコファン１６、１７、１８のいずれをも回転していない時間を計測して、高速用テーブルＡ及び低速用テーブルＢのうちどちらを用いるかを決定することもできる。
【００４０】
以上、本発明の実施の形態を説明したが、本発明は、上記した形態に限定されるものでなく、要旨を逸脱しない条件の変更等は全て本発明の適用範囲である。
例えば、空気温調機は、床下暖房をせず、室内のみに熱交換された空気を供給するようにしてもよい。
【符号の説明】
【００４１】
１０：空気温調機、１１：熱交換器、１２：温度センサ、１３、１４、１５：吹出ダクト、１６、１７、１８：シロッコファン、１９：制御装置、２０：筐体、２１：ドレーン受け、２２：ドレーン管、２３：水位センサ、２５、２６、２７：吹出部材、２８：吹出チャンバ、２９、３０、３１、３２：吸込部材、３３、３４、３５、３６：吸込ダクト、３７：高さ調整部材、３８：収納部蓋、３９：室外機、４０：冷媒ガス配管、４１：冷媒液配管、４２：操作盤、４３：リモコン、４４：空気温調システム
【図１】
2011058734.tif 000003
【図２】
2011058734.tif 000004